(57)【特許請求の範囲】
【請求項１】
壁パネルとドア枠との連結部位をジョイナーを介してねじ固定する壁とドアの連結構造であって、壁パネル端面からフランジが突設され、フランジの先端部には、ねじ締込み方向と直交する方向に折り返されたフランジ折り返し部とこのフランジ折り返し部の内方に突出するフランジ凸部とが一体に設けられ、ジョイナーは、前記フランジ折り返し部の外面とドア枠との間に配置される外側挟持片と、前記フランジ折り返し部の内面側に配置される内側挟持片とが弾性変形可能な略Ｕ字形に一体形成されていると共に、前記外側挟持片はタッピンねじが遊挿するねじ遊挿孔を有し、前記内側挟持片は、タッピンねじが螺合してタッピンねじの締込み力で外側挟持片に向かって引き寄せられるねじ螺合部と、前記フランジ凸部に嵌合可能な凹み部とを有し、タッピンねじをドア枠からジョイナーの外側挟持片のねじ遊挿孔と内側挟持片のねじ螺合部とに通して壁パネル端面に締込んだ状態で、前記内側挟持片のねじ螺合部が外側挟持片に引き寄せられて内側挟持片と外側挟持片とでフランジ折り返し部が挟持され且つ前記内側挟持片の凹み部が前記フランジ凸部に嵌合するように構成されていることを特徴とする壁とドアの連結構造。
【発明の詳細な説明】
【技術分野】
【０００１】
本発明は、壁とドアの連結構造に関し、詳しくは壁パネルとドア枠との連結部位をジョイナーを介してねじ固定するようにした連結構造に関するものである。
【背景技術】
【０００２】
従来から、壁とドアとを固定する方法として、アングル材を用いてねじ固定することが一般的に知られている（例えば、特許文献１〜３参照）。
【０００３】
ところで、壁パネル端面の形状が特殊な形状の場合があり、従来のアングル材を適用できない場合がある。その一例を図３、図４に示す。この例では、壁パネル１の端面１ａからフランジ２が突設され、フランジ２の先端部には、ねじ締込み方向Ａと直交する方向に折り返されたフランジ折り返し部３とこのフランジ折り返し部３の内方に向かってム字状に折り返されたフランジ凸部４とが一体に設けられたような形状の場合において、本発明者らは、樹脂製の断面略矩形状のスペーサ４０と金属製のコ字形ジョイナー２０との２部材を用いてネジ固定を行なう方式を案出した。つまり、コ字形ジョイナー２０の内部にスペーサ４０を挟み込み、スペーサ４０に設けた窪み部４Ａを前記フランジ凸部４に嵌め合わせた状態で、タッピンねじ１９をドア枠５の下穴５ａからコ字形ジョイナー２０とスペーサ４０とをそれぞれ貫通して壁パネル１に締込むことにより、コ字形ジョイナー２０がスペーサ４０によって壁パネル端面１ａのフランジ形状に沿って固定されるようになり、壁とドアとを確実にネジ固定することができる。
【０００４】
ところが、前記のスペーサ４０とコ字形ジョイナー２０との２つの部品を用いた連結構造では、部品の数が増えて、部品コストアップを招くうえに、部品の製造及びその管理に手間がかかるという課題を有していた。
【特許文献１】特開平９−１００６８０号公報
【特許文献２】実開平５−８５９８３号公報
【特許文献３】特開２００１−３６４１号公報
【発明の開示】
【発明が解決しようとする課題】
【０００５】
本発明は前記の従来の問題点に鑑みて発明したものであって、ジョイナーの１部品だけで壁とドアとを確実にねじ固定でき、施工の信頼性を高めながら、部品の合理化を図ることができる壁とドアの連結構造を提供することを課題とするものである。
【課題を解決するための手段】
【０００６】
前記課題を解決するために本発明は、壁パネル１とドア枠５との連結部位をジョイナー１０を介してねじ固定する壁とドアの連結構造であって、壁パネル端面１ａからフランジ２が突設され、フランジ２の先端部には、ねじ締込み方向Ａと直交する方向に折り返されたフランジ折り返し部３とこのフランジ折り返し部３の内方に突出するフランジ凸部４とが一体に設けられ、前記ジョイナー１０は、前記フランジ折り返し部３の外面とドア枠５との間に配置される外側挟持片１１と、前記フランジ折り返し部３の内面側に配置される内側挟持片１２とが弾性変形可能な略Ｕ字形に一体形成されていると共に、前記外側挟持片１１はタッピンねじ１９が遊挿するねじ遊挿孔１３を有し、前記内側挟持片１２は、タッピンねじ１９が螺合してタッピンねじ１９の締込み力で外側挟持片１１に向かって引き寄せられるねじ螺合部１５と、前記フランジ凸部４に嵌合可能な凹み部１６とを有し、タッピンねじ１９をドア枠５からジョイナー１０の外側挟持片１１のねじ遊挿孔１３と内側挟持片１２のねじ螺合部１５とに通して壁パネル端面１ａに締込んだ状態で、前記内側挟持片１２のねじ螺合部１５が外側挟持片１１に引き寄せられて内側挟持片１２と外側挟持片１１とでフランジ折り返し部３が挟持され且つ前記内側挟持片１２の凹み部１６が前記フランジ凸部４に嵌合するように構成されていることを特徴としている。
【０００７】
このような構成とすることで、タッピンねじ１９の締込み状態では、ジョイナー１０が弾性変形して壁パネル端面１ａのフランジ２形状に沿って固定されることになり、従って、従来のようなスペーサを必要とすることなく、ジョイナー１０のみを用いて壁パネル１とドア枠５との連結を行なうことができると共に、ジョイナー１０の内側挟持片１２にねじ螺合部１５、凹み部１６等を設けただけの簡単な形状変更だけで済むようになる。
【発明の効果】
【０００８】
本発明は、ジョイナーの１部品だけで壁とドアとを確実にねじ固定できるので、施工の信頼性を高めながら、部品の合理化が図られ、部品コストを削減できると共に、部品の製造及びその管理にかかる手間を省くことができるものである。
【発明を実施するための最良の形態】
【０００９】
以下、本発明を添付図面に示す実施形態に基いて説明する。
【００１０】
図１は、本発明の一実施形態のバスルームの壁パネル１とドア枠５との連結部位を金属製のジョイナー１０を介してねじ固定する構造の一例を示しており、図２はその分解図を示している。
【００１１】
面板５１と断熱材５０の２層構造の壁パネル１の端面１ａからは、ドア枠５側に向けてフランジ２が突設されている。このフランジ２の先端部には、ねじ締込み方向Ａと直交する方向に折り返されたフランジ折り返し部３と、このフランジ折り返し部３の内方に向かってム字状に折り返されたフランジ凸部４とが一体に設けられている。
【００１２】
一方、ドア枠５の外側壁にはタッピンねじ１９を入れる開口２５が設けられ、壁パネル１側の内側壁にはタッピンねじ１９を締込用の下穴５ａが形成されている。なお、図中の２６は開口２５を塞ぐキャップである。
【００１３】
前記壁パネル端面１ａのフランジ折り返し部３には、フランジ折り返し部３の長さ方向に沿って延びる長尺状の金属製のジョイナー１０が配置される。このジョイナー１０は、フランジ折り返し部３の外面とドア枠５との間に配置される外側挟持片１１と、フランジ折り返し部３の内面側に配置される内側挟持片１２とが弾性変形可能な略Ｕ字形の折り曲げ部１８を介して連続形成されている。外側挟持片１１の中央部側にはタッピンねじ１９が遊挿するねじ遊挿孔１３（下穴）が予め形成されている。このねじ遊挿孔１３は、ドア枠５の下穴５ａと対向する位置で且つフランジ折り返し部３とは干渉しない位置に設けられる。内側挟持片１２の中央部側には、タッピンねじ１９が螺合するねじ螺合孔１４（下穴）を有するねじ螺合部１５が設けられている。このねじ螺合部１５は、外側挟持片１１のねじ遊挿孔１３と対向する位置で且つフランジ折り返し部３とは干渉しない位置に設けられている。さらに内側挟持片１２のねじ螺合部１５よりも先端側には、前記フランジ凸部４に嵌合可能なく字状をした凹み部１６と、フランジ２の内面に当接するフランジ当接部１７とが連続形成されている。ここで、前記内側挟持片１２のねじ螺合部１５は、タッピンねじ１９の締込みによって外側挟持片１１側に向けて図１の矢印Ｄ方向に引き寄せられる引き寄せ部分であり、このねじ螺合部１５の引き寄せによって前記凹み部１６が前記フランジ凸部４に向かって移動してフランジ凸部４と嵌合するように構成されている。
【００１４】
次に、壁パネル１とドア枠５とを連結するにあたっては、先ず、ジョイナー１０の外側挟持片１１と内側挟持片１２とで壁パネル１側のフランジ折り返し部３を挟むようにセットする。この段階ではジョイナー１０の外側挟持片１１及び内側挟持片１２はフランジ２形状に沿っていないため、ガタツキが生じる状態にある。その後、外側挟持片１１のねじ遊挿孔１３をドア枠５の下穴５ａに位置合わせした状態で、タッピンねじ１９をドア枠５の下穴５ａからジョイナー１０の外側挟持片１１のねじ遊挿孔１３と内側挟持片１２のねじ螺合部１５とにそれぞれ通して壁パネル端面１ａに向けて締込む。この締込みによって、内側挟持片１２のねじ螺合部１５が外側挟持片１１に向かって引き寄せられる。このとき、外側挟持片１１はフランジ折り返し部３の外面とドア枠５の内面との間に挟まれて動きが止められているので、内側挟持片１２は外側挟持片１１に引き寄せられてフランジ折り返し部３の内面形状に沿うように弾性変形する（図１の実線→仮想線）。これによってフランジ折り返し部３がジョイナー１０の外側挟持片１１と内側挟持片１２とで挟持された状態となり且つこの状態で内側挟持片１２の凹み部１６がフランジ凸部４に嵌合するようになる。つまり、タッピンねじ１９の締込みによって内側挟持片１２の凹み部１６もフランジ凸部４と嵌合する方向に引き寄せられるものであり、しかも凹み部１６とフランジ凸部４との嵌合方向はねじ締込み方向Ａと平行な方向であるので、ジョイナー１０がフランジ折り返し部３から図１の矢印Ｂ方向へと抜け出るのが確実に阻止されることになり、従って、ジョイナー１０はフランジ折り返し部３に対してガタツキを生じない状態で固定される結果、ジョイナー１０を介して壁パネル１とドア枠５とがタッピンねじ１９にて確実に連結固定された状態となる。
【００１５】
しかして、前記構成によればタッピンねじ１９の締込み状態では、ジョイナー１０が弾性変形して壁パネル端面１ａのフランジ２の形状に沿って固定されているので、壁とドアとの連結の施工性の信頼性を高めることができるものであり、そのうえ従来例で説明したような樹脂製のスペーサを別途用いる必要がなく、ジョイナー１０の１部品のみを用いて壁パネル１とドア枠５とのねじ固定を行なうことが可能となる。しかも、ジョイナー１０の内側挟持片１２にねじ螺合部１５、凹み部１６等を設けただけの簡単な形状変更だけで済むようになるので、スペーサを不要にできることとあいまって、部品の合理化が図られ、部品コストを削減できると共に、部品の製造及びその管理にかかる手間を省くことができる利点がある。
【００１６】
本発明の壁とドアの連結構造はバスルームに限らず、壁とドアとを連結する分野に広く適用可能である。
【図面の簡単な説明】
【００１７】
【図１】本発明の一実施形態のバスルームの壁パネルとドア枠との連結部位をジョイナーを介してねじ固定した状態の一例を示す平面断面図である。
【図２】図１の分解図である。
【図３】参考例の説明図である。
【図４】図３の分解図である。
【符号の説明】
【００１８】
１  壁パネル
１ａ  壁パネル端面
２  フランジ
３  フランジ折り返し部
４  フランジ凸部
５  ドア枠
１０  ジョイナー
１１  外側挟持片
１２  内側挟持片
１３  ねじ遊挿孔
１５  ねじ螺合部
１６  凹み部
１９  タッピンねじ
Ａ  ねじ締込み方向
【図１】
0004858455.tif 000002
【図２】
0004858455.tif 000003
【図３】
0004858455.tif 000004
【図４】
0004858455.tif 000005